(57)【要約】【課題】配電盤内に高圧開閉器を設けた高圧受電設備に対し、その高圧開閉器に設けた保護カバーを外したり捲り上げる等の作業を要せず、しかも高圧開閉器から一定の安全距離を保った状態で高圧開閉器の開閉操作が可能な高圧受電設備を提供する。【解決手段】配電盤（１）内に少なくとも高圧開閉器（２）を装着した高圧受電設備において、前記高圧開閉器（２）が操作ハンドル（2b）を引きひも（2c）で開閉操作する屋外用高圧開閉器であり、該高圧開閉器（２）を、前記操作ハンドル（2b）が前記配電盤（１）の前面扉（1a）側に向けて前記配電盤（１）内の上部に装着させ、且つ、前記配電盤（１）内で、高圧開閉器本体（2a）と前記操作ハンドル（2b）との間に防護板（３）を設けると共に、該防護板（３）の前側に前記引きひも（2c）を吊下げたことを特徴とする。【選択図】図１
2011229198.tif 000002
【特許請求の範囲】
【請求項１】
配電盤（１）内に少なくとも高圧開閉器（２）を装着した高圧受電設備において、前記高圧開閉器（２）が操作ハンドル（2b）を引きひも（2c）で開閉操作する屋外用高圧開閉器であり、該高圧開閉器（２）を、前記操作ハンドル（2b）が前記配電盤（１）の前面扉（1a）側に向けて前記配電盤（１）内の上部に装着させ、且つ、前記配電盤（１）内で、高圧開閉器本体（2a）と前記操作ハンドル（2b）との間に防護板（３）を設けると共に、該防護板（３）の前側に前記引きひも（2c）を吊下げたことを特徴とする高圧受電設備。
【請求項２】
前記防護板（３）が、透明なプラスチック板であり、この上部に切欠逃げ穴（3a）を形成した請求項１記載の高圧受電設備。
【発明の詳細な説明】
【技術分野】
【０００１】
本発明は、高圧の受電設備に関し、特には配電盤に内蔵される高圧開閉器に防護板を設置し、受電設備の保守，点検をする際に作業者の安全性を確保する高圧受電設備に関する。
【背景技術】
【０００２】
従来、高圧受電設備は、配電盤の内部に高圧開閉器や制御装置等の各種装置が内蔵されている。そして、この高圧受電設備は、定期的な検査，点検が義務付けられ、それに伴って、作業者は高圧受電設備の定期検査や点検を行っている。この際に作業者が配電盤の扉を開け内部の高圧機器、特に高圧開閉器を操作するため、作業者に危険性が付き伴っていた。その危険性を防止するため、従来から防止手段が種々提案されている。
【０００３】
例えば、特開平７−２４０１３３号公報では、高圧用の開閉器に安全カバーを取り付けることによって高圧受電設備全体の保守点検作業時の安全を図り、尊い人命を守り、小動物等の侵入による短絡事故等を防止して、広範囲停電事故を無くすことが、開示されている。
【０００４】
又、特開平７−１４３６２１号公報では、配電盤に内蔵される器具の前面側で、配電盤側に上端部で固定され、下端部で着脱可能に係止される柔軟な絶縁性薄板状部材を取付けた配電盤内蔵器具用の保護カバーが開示されている。
【０００５】
更に、特開平９−１７２７０６号公報では、可撓性を有し、扉に取付けられた器具の端子部分を覆うように成形して裁断した絶縁シートと、このシートの上、下側端面部分に貼付けられた面ファスナーと、この面ファスナーに対応する扉の内面側の位置に面ファスナーを貼付け、これらの両ファスナーでシートを接合させることにより、シートで器具の端子部分を覆い感電防止を行うことが開示されている。
【先行技術文献】
【特許文献】
【０００６】
【特許文献１】特開平７−２４０１３３号公報
【特許文献２】特開平７−１４３６２１号公報
【特許文献３】特開平９−１７２７０６号公報
【発明の概要】
【発明が解決しようとする課題】
【０００７】
上記従来の特許文献１〜３のものは、いずれも、配電盤内の電気制御器具あるいは開閉器具の器具に対し、その前側に絶縁性のカバー又はシートで覆い、保守点検の際に感電防止の役目を成すものであるが、配電盤内の器具を開閉操作する際には、それらのカバー又はシートを外すか前面カバーを捲り上げる作業を要する。従って、これらの作業時、特に高圧開閉器の場合には、高圧開閉器との距離が近く極めて危険性を伴い、時として感電事故の原因ともなり、高圧用器具には適さないカバーであった。
【０００８】
本発明は、配電盤内に高圧開閉器を設けた高圧受電設備に対し、その高圧開閉器に設けた保護カバーを外したり捲り上げる等の作業を要せず、しかも高圧開閉器から一定の安全距離を保った状態で高圧開閉器の開閉操作が可能な高圧受電設備を提供することを目的とする。
【課題を解決するための手段】
【０００９】
本発明は、配電盤（１）内に少なくとも高圧開閉器（２）を装着した高圧受電設備において、前記高圧開閉器（２）が操作ハンドル（2b）を引きひも（2c）で開閉操作する屋外用高圧開閉器であり、該高圧開閉器（２）を、前記操作ハンドル（2b）が前記配電盤（１）の前面扉（1a）側に向けて前記配電盤（１）内の上部に装着させ、且つ、前記配電盤（１）内で、高圧開閉器本体（2a）と前記操作ハンドル（2b）との間に防護板（３）を設けると共に、該防護板（３）の前側に前記引きひも（2c）を吊下げたことを特徴とする。
【００１０】
また、前記防護板（３）が、透明なプラスチック板であり、この上部に切欠逃げ穴（3a）を形成するのか好ましい。
【００１１】
本発明の高圧開閉器（２）は、屋外用高圧開閉器（柱上用高圧開閉器）であり、その開閉はハンドルの両端に結んだ２本の引きひもを引張り開閉操作するものが使用される。又、この高圧開閉器（２）は、特に過電流ロック形機能付の高圧交流気中負荷開閉器を使用すると、保守点検が容易で価格的に安価で好ましい。
【００１２】
また、本発明の防護板（３）は、透明なプラスチック板であり、この上部には切欠逃げ穴（3a）を形成している。これにより高圧開閉器本体（2a）と操作ハンドル（2b）との間に防護板（３）を設ける際に、連結された高圧開閉器本体（2a）と操作ハンドル（2b）間に切欠逃げ穴（3a）が位置し、防護板（３）の取付けが容易となり、且つ、高圧開閉器本体（2a）の前側を防護板（３）で区画することができる。
【００１３】
また、本発明の防護板（３）は、その横幅が配電盤（１）内の横幅と略同一とし、縦幅は、配電盤（１）内の高さに対し、その天井から３分の２程度の長さが好ましい。
【発明の効果】
【００１４】
本発明は、配電盤（１）内に操作ハンドル（2b）を引きひも（2c）で開閉操作する屋外用高圧開閉器（２）を使用すると共に、その高圧開閉器本体（2a）と操作ハンドル（2b）との間に防護板（３）を設けたことにより、高圧開閉器本体（2a）を防護板（３）でカバーされる。これにより点検の際に、人が直接高圧開閉器本体（2a）に触れる危険性や短絡事故で高圧開閉器本体（2a）が破壊された際に部品や破片等の飛散から人体への危険性を防止できる。
【００１５】
しかも、配電盤（１）内に屋外用高圧開閉器を使用すること自体が従来にはなく、この屋外用高圧開閉器を利用したことにより、その引きひも（2c）が防護板（３）の前側に吊下げられるため、高圧開閉器（２）の開閉操作が防護板（３）の防護と相まって引きひも（2c）により高圧開閉器（２）から離れた位置で開閉操作ができ、点検作業が極めて安全となる。
【図面の簡単な説明】
【００１６】
【図１】本発明の実施例を示す配電盤内の正面図である。
【図２】本発明の実施例を示す配電盤内の側面図である。
【図３】本発明の防護板の斜視図である。
【図４】本発明の防護板で他の形態を示す説明図である。
【発明を実施するための形態】
【００１７】
以下、本発明の実施例を図面を基に説明する。図１、２において、（１）は正面側に前面扉（1a）を有する箱形の配電盤である。（２）は高圧開閉器であり、該高圧開閉器（２）は屋外用で開閉操作に操作ハンドル（2b）を引きひも（2c）で操作するタイプのものが使用される。また、この高圧開閉器（２）は、配電盤（１）内の上部に設けた腕金（４）に、操作ハンドル（2b）を配電盤（１）の前面扉（1a）側に向けてフックボルト（５）とナット（６）で取付けられる。
【００１８】
（３）は図３に示すように、プラスチック製の防護板であり、該防護板（３）の上部中央には切欠逃げ穴（3a）が形成されている。この防護板（３）は高圧開閉器本体（2a）と操作ハンドル（2b）との間に設けられる。その際に防護板（３）を高圧開閉器本体（2a）と操作ハンドル（2b）との間に下側から差し込んでも、切欠逃げ穴（3a）により高圧開閉器（２）に当ることなく容易に差し込められ、所定位置に設置できる。
【００１９】
また、防護板（３）は、横幅が配電盤（１）内の略横幅かそれより多少短い程度とし、縦幅は配電盤（１）内の縦幅の略３分の２程度が好ましい。この縦幅は配電盤（１）内の縦幅に対し、その天井から３分の２の幅で上部を覆うものであり、配電盤（１）内の下部の３分の１は開放された状態となっている。この下部を開放したのは、配電盤（１）の下方に制御盤（８）が設けられているため、その点検時に防護板（３）が邪魔にならずに点検できるようにしている。
【００２０】
尚、防護板（３）はプラスチック製であるが、当然絶縁性と強度が要求され、しかも透明なものが好ましく、特には透明なアクリル板が好適であるが、点検の際に感電事故や高圧開閉器（２）の破損事故に対応できるものであればよく、また透明なものは外から高圧開閉器本体（2a）内を目視点検できるので好ましい。
【００２１】
また、防護板（３）の取付けは、防護板（３）の少なくとも四隅に穿設した取付穴（3b）を利用して配電盤（１）にネジ（７）で固定させるが、図４に示すように、防護板（３）下部の両端を直角に切欠いて掛部（3c）を形成し、この掛部（3c）を配電盤（１）内の両側面に突出して横架させた支持杆（９）に掛着させて取付けてもよい。この掛着させた場合には、ネジ（７）に比べ防護板（３）の取外しが極めて簡単で、点検の際に、高圧開閉器本体（2a）の点検及び清掃等をする場合にも、防護板（３）を外すのに手間を要せず作業性がよい。
【００２２】
高圧開閉器本体（2a）と操作ハンドル（2b）間に設けた防護板（３）においては、操作ハンドル（2b）部分が防護板（３）の前側に突出し、高圧開閉器本体（2a）は防護板（３）によって覆われている。従って、防護板（３）から突出した操作ハンドル（2b）の両端に結んだ２本の引きひも（2c）は防護板（３）の前側に吊下げられた状態となり、点検の際にその引きひも（2c）を容易に操作できる。即ち、引きひも（2c）は防護板（３）によって高圧開閉器本体（2a）と隔離され、しかも操作ハンドル（2b）とも離れて操作できるため高圧開閉器（２）の開閉操作が極めて安全となるのである。
【００２３】
要するに、本発明は、配電盤（１）内に引きひも（2c）で開閉操作する屋外用の高圧開閉器（２）を使用し、しかも高圧開閉器本体（2a）と操作ハンドル（2b）との間に防護板（３）を設け、引きひも（2c）が防護板（３）の前面に位置させたことにより、点検時に高圧開閉器（２）の開閉操作を極めて安全にした点に特徴を有するのである。
【符号の説明】
【００２４】
１  配電盤
1a  前面扉
２  高圧開閉器
2a  高圧開閉器本体
2b  操作ハンドル
2c  引きひも
３  防護板
3a  切欠逃げ穴
【図１】
2011229198.tif 000003
【図２】
2011229198.tif 000004
【図３】
2011229198.tif 000005
【図４】
2011229198.tif 000006